(57)【要約】【課題】リビジョンごとの表示画像を一覧で視認することが可能な表示方法を提供する。【解決手段】第１の仮想軸上に配置され、第１の仮想軸と交差するそれぞれの第２の仮想軸を中心にして回転し、さらに第１の仮想軸を中心にして回転して表示されるサムネイル画像５１を含むファイル画像を表示部１４０に表示する表示方法であって、ファイル画像にリビジョンがある場合、ファイル画像に対応するプレビュー画像３０ａ，３０ｂ，３０ｃをリビジョンごとに生成し、生成した複数のプレビュー画像を、それぞれのプレビュー画像の一部を重ねて表示する表示方法。【選択図】図３
2020071575.tif 000002
【特許請求の範囲】
【請求項１】
第１の仮想軸上に配置され、前記第１の仮想軸と交差するそれぞれの第２の仮想軸を中心にして回転し、さらに前記第１の仮想軸を中心にして回転して表示される画像を含むファイル画像を表示部に表示する表示方法であって、
前記ファイル画像にリビジョンがある場合、前記ファイル画像に対応するプレビュー画像を前記リビジョンごとに生成し、
生成した複数の前記プレビュー画像それぞれの一部を重ねて、複数の前記プレビュー画像を表示する、
表示方法。
【請求項２】
前記プレビュー画像は、複数の前記画像の内から選択された前記画像に対応して生成する、
請求項１に記載の表示方法。
【請求項３】
前記ファイル画像は、
複数の前記画像が第１の方向に並ぶ画像束と、
前記画像束に並ぶ前記プレビュー画像と、を有する、
請求項１または請求項２に記載の表示方法。
【請求項４】
前記リビジョンごとに、前記画像束および前記プレビュー画像を生成し、
前記画像束および前記プレビュー画像を、前記第１の方向と交差する第２の方向に沿って並べて表示する、
請求項３に記載の表示方法。
【請求項５】
前記プレビュー画像に、それぞれの前記リビジョンを特定する識別マークを表示する、
請求項１ないし請求項４のいずれか一項に記載の表示方法。
【請求項６】
前記リビジョンごとに重ねて表示された前記プレビュー画像に対して、移動指示がされた場合、
前記プレビュー画像が移動し、メイン表示されている前記プレビュー画像が切り替わる、
請求項１ないし請求項５のいずれか一項に記載の表示方法。
【請求項７】
第１の仮想軸上に配置され、前記第１の仮想軸と交差するそれぞれの第２の仮想軸を中心にして回転し、さらに前記第１の仮想軸を中心にして回転して表示される画像を含むファイル画像を表示部に表示する表示方法であって、
前記ファイル画像は、複数の前記画像が第１の方向に並ぶ画像束を有し、
前記ファイル画像にリビジョンがある場合、
前記画像束を構成する前記画像の内、前記リビジョンを有する前記画像に対応する複数のリビジョン画像を生成し、それぞれの前記リビジョン画像の一部を重ねて表示する、
表示方法。
【請求項８】
前記リビジョンを有する前記画像に加えて、前記画像束を構成する全ての前記画像に対応する第２のリビジョン画像を前記リビジョンごとに生成し、
前記リビジョンごとに生成した前記第２のリビジョン画像を、それぞれの前記第２のリビジョン画像の一部を重ねて表示する、
請求項７に記載の表示方法。
【請求項９】
前記リビジョンごとに重ねて表示された前記リビジョン画像に対して、移動指示がされた場合、
前記リビジョン画像が移動し、メイン表示されている前記リビジョン画像が切り替わる、
請求項７または請求項８に記載の表示方法。
【請求項１０】
画像を含むファイル画像を表示する表示部と、
第１の仮想軸上に配置され、前記第１の仮想軸と交差する第２の仮想軸を中心にして回転し、更に前記第１の仮想軸を中心に回転して表示される複数の前記画像を生成するサムネイル画像生成部と、
前記ファイル画像にリビジョンがある場合、複数の前記画像の内から選択されたプレビュー画像を前記リビジョンごとに生成し、複数の前記プレビュー画像の一部を重ねて表示する表示画像を生成する表示画像生成部と、を備えている、
表示装置。
【請求項１１】
画像を含むファイル画像を表示する表示部と、
第１の仮想軸上に配置され、前記第１の仮想軸と交差する第２の仮想軸を中心にして回転し、更に前記第１の仮想軸を中心に回転して表示される複数の前記画像を生成するサムネイル画像生成部と、
前記ファイル画像にリビジョンがある場合、複数の前記画像の内、前記リビジョンを有する前記画像に対応する複数のリビジョン画像を生成し、複数の前記リビジョン画像の一部を重ねて表示する表示画像を生成する表示画像生成部と、を備えている、
表示装置。
【発明の詳細な説明】
【技術分野】
【０００１】
本発明は、表示方法、および表示装置に関する。
【背景技術】
【０００２】
従来、複数のフォルダーやファイルに含まれている複数の画像に係る履歴情報を表示部に表示する表示方法が開示されている。このような履歴情報の表示方法として、例えば特許文献１には、ログイン、プリント、あるいはフォルダー読み出しなどの処理に係る履歴情報に関して、文字情報として時系列に並べた一覧表を表示する手法が開示されている。
【先行技術文献】
【特許文献】
【０００３】
【特許文献１】特開２０１５−２０７０４３号公報
【発明の概要】
【発明が解決しようとする課題】
【０００４】
しかしながら、特許文献１に記載されている表示方法では、履歴情報（以下、リビジョンという）を、文字情報として記載された一覧表で示しているが、リビジョンを有するフォルダーもしくはファイルやこれらに含まれている画像などにおいて、リビジョンごとの表示画像の一覧として視認することができないため、リビジョンの経過内容や推移の認識を行い難いという課題を有していた。
【課題を解決するための手段】
【０００５】
本願の表示方法は、第１の仮想軸上に配置され、前記第１の仮想軸と交差するそれぞれの第２の仮想軸を中心にして回転し、さらに前記第１の仮想軸を中心にして回転して表示される画像を含むファイル画像を表示部に表示する表示方法であって、前記ファイル画像にリビジョンがある場合、前記ファイル画像に対応するプレビュー画像を前記リビジョンごとに生成し、生成した複数の前記プレビュー画像それぞれの一部を重ねて、複数の前記プレビュー画像を表示する。
【０００６】
上述の表示方法において、前記プレビュー画像は、複数の前記画像の内から選択された前記画像に対応して生成することとしてもよい。
【０００７】
上述の表示方法において、前記ファイル画像は、複数の前記画像が第１の方向に並ぶ画像束と、前記画像束に並ぶ前記プレビュー画像と、を有することとしてもよい。
【０００８】
上述の表示方法において、前記リビジョンごとに、前記画像束および前記プレビュー画像を生成し、前記画像束および前記プレビュー画像を、前記第１の方向と交差する第２の方向に沿って並べて表示することとしてもよい。
【０００９】
上述の表示方法において、前記プレビュー画像に、それぞれの前記リビジョンを特定する識別マークを表示することとしてもよい。
【００１０】
上述の表示方法において、前記リビジョンごとに重ねて表示された前記プレビュー画像に対して、移動指示がされた場合、前記プレビュー画像が移動し、メイン表示されている前記プレビュー画像が切り替わることとしてもよい。
【００１１】
本願の表示方法は、第１の仮想軸上に配置され、前記第１の仮想軸と交差するそれぞれの第２の仮想軸を中心にして回転し、さらに前記第１の仮想軸を中心にして回転して表示される画像を含むファイル画像を表示部に表示する表示方法であって、前記ファイル画像は、複数の前記画像が第１の方向に並ぶ画像束を有し、前記ファイル画像にリビジョンがある場合、前記画像束を構成する前記画像の内、前記リビジョンを有する前記画像に対応する複数のリビジョン画像を生成し、それぞれの前記リビジョン画像の一部を重ねて表示する。
【００１２】
上述の表示方法において、前記リビジョンを有する前記画像に加えて、前記画像束を構成する全ての前記画像に対応する第２のリビジョン画像を前記リビジョンごとに生成し、前記リビジョンごとに生成した前記第２のリビジョン画像を、それぞれの前記第２のリビジョン画像の一部を重ねて表示することとしてもよい。
【００１３】
上述の表示方法において、前記リビジョンごとに重ねて表示された前記リビジョン画像に対して、移動指示がされた場合、前記リビジョン画像が移動し、メイン表示されている前記リビジョン画像が切り替わることとしてもよい。
【００１４】
本願の表示装置は、画像を含むファイル画像を表示する表示部と、第１の仮想軸上に配置され、前記第１の仮想軸と交差する第２の仮想軸を中心にして回転し、更に前記第１の仮想軸を中心に回転して表示される複数の前記画像を生成するサムネイル画像生成部と、前記ファイル画像にリビジョンがある場合、複数の前記画像の内から選択されたプレビュー画像を前記リビジョンごとに生成し、複数の前記プレビュー画像の一部を重ねて表示する表示画像を生成する表示画像生成部と、を備えている。
【００１５】
本願の表示装置は、画像を含むファイル画像を表示する表示部と、第１の仮想軸上に配置され、前記第１の仮想軸と交差する第２の仮想軸を中心にして回転し、更に前記第１の仮想軸を中心に回転して表示される複数の前記画像を生成するサムネイル画像生成部と、前記ファイル画像にリビジョンがある場合、複数の前記画像の内、前記リビジョンを有する前記画像に対応する複数のリビジョン画像を生成し、複数の前記リビジョン画像の一部を重ねて表示する表示画像を生成する表示画像生成部と、を備えている。
【図面の簡単な説明】
【００１６】
【図１】実施形態に係る表示装置の一例としてのスマートフォンの概略を示す外観斜視図。
【図２】表示装置のハードウェア構成を示すブロック図。
【図３】プレビュー画像を用いた表示画像の表示例１を示す図。
【図４】プレビュー画像を用いた表示方法１を説明するフローチャート。
【図５Ａ】サムネイル画像を変形させる処理を説明するための図。
【図５Ｂ】サムネイル画像を変形させる処理を説明するための図。
【図５Ｃ】サムネイル画像を変形させる処理を説明するための図。
【図５Ｄ】サムネイル画像を変形させる処理を説明するための図。
【図５Ｅ】サムネイル画像を変形させる処理を説明するための図。
【図６Ａ】プレビュー画像の移動前の状態を示す図。
【図６Ｂ】プレビュー画像の移動後の状態を示す図。
【図７】プレビュー画像を用いた表示方法２を説明するフローチャート。
【図８】プレビュー画像を用いた表示画像の表示例２を示す図。
【図９】リビジョン画像を用いた表示画像の表示例３を示す図。
【図１０】リビジョン画像を用いた表示方法３を説明するフローチャート。
【図１１】リビジョン画像の移動を説明する図。
【図１２】リビジョン画像を用いた表示方法４を説明するフローチャート。
【図１３】リビジョン画像を用いた表示画像の表示例４を示す図。
【図１４】リビジョン画像を用いた表示画像の表示例５を示す図。
【発明を実施するための形態】
【００１７】
以下、各図面に沿って、表示装置、および該表示装置への表示方法の実施形態について説明する。なお、以下で説明する実施形態は、特許請求の範囲に記載された本発明の内容を不当に限定するものではない。また、以下の実施形態で説明される構成の全てが、本発明の必須構成要件であるとは限らない。
【００１８】
１．表示装置
先ず、図１、図２、および図３を参照して、実施形態に係る表示装置の構成について説明する。図１は、実施形態に係る表示装置の一例としてのスマートフォンの概略を示す外観斜視図である。図２は、表示装置のハードウェア構成を示すブロック図である。図３は、プレビュー画像を用いた表示画像の表示例１を示す図である。
【００１９】
表示装置１００は、図１に示すように、電子書籍や電子写真などを閲覧するための装置であり、フォルダーやファイルや電子書籍や電子写真などの各ページの画像や表示したい画面の検索画面として、電子書籍や電子写真の各ページを縮小した画像としてのサムネイル画像を表示する。つまり、表示装置１００は、画像を表示可能な電子機器の一例である。なお、以下では、表示装置１００の表示部１４０に表示するファイル画像として、複数のサムネイル画像５１（図３参照）、およびサムネイル画像５１を並べて表示する画像束としてサムネイル束５０（図３参照）を主に例示して説明する。また、本実施形態では、フォルダーやファイルを総称して、「ファイル」を用いて説明する。
【００２０】
また、以下の説明では、「第１の方向」、および「第２の方向」を用いているが、本明細書における「第１の方向」とは、表示部１４０の表示が判読可能な状態で、表示部１４０を構成する画面をユーザーに正対させたときの水平方向（横方向）に相当する。また、「第２の方向」とは、第１の方向と交差する方向であり、表示部１４０の表示が判読可能な状態で、表示部１４０を構成する画面をユーザーに正対させたときの垂直方向（縦方向）に相当する。また、表示装置１００や表示部１４０の説明に用いる各図面には、説明の便宜上、互いに直交する２軸を、Ｘ軸、およびＹ軸として設定している。即ち、Ｘ軸は、表示部１４０の水平方向（横方向）に沿った方向である「第１の方向」、Ｙ軸は、表示部１４０の垂直方向（縦方向）に沿った方向である「第２の方向」と一致している。また、説明の便宜上、Ｙ軸方向の正方向を「上」、または「上側」、Ｙ軸方向の負方向を「下」、または「下側」、Ｘ軸方向の正方向を「右」、または「右側」、Ｘ軸方向の負方向を「左」、または「左側」、ということがある。
【００２１】
表示装置１００は、例えばスマートフォンやタブレット型の端末装置などで構成することができる。表示装置１００は、他の情報処理装置（不図示）と、例えばＢｌｕｅｔｏｏｔｈ（登録商標）通信などを例示することができる近距離無線通信や有線通信（不図示）等によって接続されることができる。
【００２２】
本実施形態に係る表示装置１００は、図１に示すように、画像を表示する表示部１４０、およびユーザーに操作される操作ボタンなどの操作部１５０を備えているスマートフォンを例示している。ユーザーは、表示装置１００の液晶ディスプレイ等を用いた表示部１４０に表示された画像を視認することができる。
【００２３】
表示装置１００は、図２に示すように、ハードウェア構成として、サムネイル画像生成部１２０および表示画像生成部１３０を含む制御部１１０、表示部１４０、操作部１５０、および記憶部１６０を備えている。
【００２４】
制御部１１０は、サムネイル画像生成部１２０および表示画像生成部１３０を含む。制御部１１０は、ＣＰＵ（Central Processing Unit）、ＲＯＭ（Read Only Memory）、ＲＡＭ（Random Access Memory）等を備えたマイクロコンピューターであり、ＲＯＭに記憶されたプログラムに従って表示装置１００の各部を制御する。制御部１１０は、操作部１５０から送られた信号から操作内容を特定し、特定した内容に応じて、電子書籍のページを送る処理、ページを戻す処理、サムネイル画像やサムネイル束などの表示画像を表示部１４０に表示させる処理などを行う。
【００２５】
具体的に、制御部１１０は、記憶部１６０にアクセスし、電子書籍や電子写真などの各種データを記憶部１６０に書き込んだり読み出したりすることができる。また、制御部１１０は、サムネイル画像生成部１２０、および表示画像生成部１３０に対して、電子書籍や電子写真などの各ページに係る各種データや電子書籍や電子写真などの各種データを縮小したサムネイル画像やサムネイル束の画像を生成させたり、それらの表示画像データを生成させたりすることができる。
【００２６】
また、制御部１１０は、例えば図３に示すように、表示画像生成部１３０で生成された画像束としてのサムネイル束５０の画像を、表示部１４０に表示する。ここで、サムネイル束５０は、画像としての複数のサムネイル画像５１が、第１の方向に並び表示されている画像束であり、見開き状態で並ぶ領域４１、隣り同士の間隔を広げて並ぶ領域４２、および隣同士が等間隔で並ぶ領域４３などを含んでいる。なお、本形態では、サムネイル束５０において、一つのファイルに含まれる複数のページに相応する各々のサムネイル画像を示す代表として、サムネイル画像５１を示している。
【００２７】
また、制御部１１０は、ファイル画像を構成するサムネイル束５０に含まれる複数のサムネイル画像５１の内から選択されている選択ページ、あるいはこのファイルの代表ページをプレビュー画像として、表示部１４０の水平方向である第１の方向（図中Ｘ軸方向）の、例えばサムネイル束５０の図中左側の位置に、サムネイル束５０に並べて表示する。なお、制御部１１０は、ファイル画像にリビジョンがある場合、リビジョンを有するファイル画像のそれぞれに対応するプレビュー画像を生成する。換言すれば、制御部１１０は、リビジョンを有するファイル画像に対応するプレビュー画像をリビジョンごとに生成する。
【００２８】
図３に示す表示例１では、三つのリビジョンが有る場合を例示し、それぞれのリビジョンに対応した三つのプレビュー画像として、第１のプレビュー画像３０ａ、第２のプレビュー画像３０ｂ、および第３のプレビュー画像３０ｃが表示されている。具体的に、第１のプレビュー画像３０ａは、一番手前に位置する一面のメイン表示として表示されている。第２のプレビュー画像３０ｂは、第１のプレビュー画像３０ａの後部に、第１のプレビュー画像３０ａに一部を重ねて配置されている。第３のプレビュー画像３０ｃは、第２のプレビュー画像３０ｂの後部に、第２のプレビュー画像３０ｂに一部を重ねて配置されている。即ち、一つのサムネイル束５０に対し、重ねて表示された第１のプレビュー画像３０ａ、第２のプレビュー画像３０ｂ、および第３のプレビュー画像３０ｃの三つのプレビュー画像が、サムネイル束５０の第１の方向（Ｘ軸方向）に沿った位置に並んで表示されている。
【００２９】
このように、表示部１４０に表示されるファイル画像には、複数のサムネイル画像５１が第１の方向に並ぶサムネイル束５０、サムネイル束５０に並ぶプレビュー画像としての第１のプレビュー画像３０ａ、第２のプレビュー画像３０ｂ、および第３のプレビュー画像３０ｃを有している。このような表示形態により、ユーザーは、ファイル画像に含まれる内容を、容易に判読することができる。
【００３０】
なお、制御部１１０は、第１のプレビュー画像３０ａ、第２のプレビュー画像３０ｂ、および第３のプレビュー画像３０ｃのそれぞれに、それぞれのリビジョンを特定する識別マーク２１ａ，２１ｂ，２１ｃを表示することとしてもよい。ここで、本例の識別マーク２１ａ，２１ｂ，２１ｃは、リビジョンの実行日時を表示している。このように、それぞれのリビジョンを特定する識別マーク２１ａ，２１ｂ，２１ｃを、第１のプレビュー画像３０ａ、第２のプレビュー画像３０ｂ、および第３のプレビュー画像３０ｃのそれぞれに付帯表示することにより、ユーザーは、第１のプレビュー画像３０ａ、第２のプレビュー画像３０ｂ、および第３のプレビュー画像３０ｃのそれぞれのリビジョンの内容や実行日時などを容易に知ることができる。
【００３１】
また、表示例１では、表示部１４０に一つのサムネイル束５０が表示されていたが、サムネイル束は一つに限らず、複数表示されていてもよい。また、複数のサムネイル束が表示されている場合であっても、リビジョンごとのプレビュー画像を表示してもよい。
【００３２】
また、制御部１１０は、図６Ａの表示例１の矢印Ｓ１に示すように、ユーザーが、表示部１４０の画面にタッチし、例えばドラッグアンドドロップやフリックなどの動作を行った場合、第１のプレビュー画像３０ａ、第２のプレビュー画像３０ｂ、および第３のプレビュー画像３０ｃの表示位置を移動させ、メイン表示の表示画像を変更することができる。
【００３３】
サムネイル画像生成部１２０は、記憶部１６０から各種データを読み出し、電子書籍や電子写真などの各種データを縮小した画像としてのサムネイル画像５１を生成する。
【００３４】
具体的に、サムネイル画像生成部１２０は、例えば表示部１４０を構成する画面の水平方向である第１の方向に沿った第１の仮想軸上に配置され、この第１の仮想軸と交差し、表示部１４０の画面の垂直方向である第２の方向に沿ったそれぞれの第２の仮想軸を中心にして回転され、さらに第１の仮想軸に対して回転した複数の画像として、図３に示す複数のサムネイル画像５１を生成する。なお、この複数のサムネイル画像５１の生成方法については、後段にて図５Ａ〜図５Ｅを参照して詳細に説明する。
【００３５】
表示画像生成部１３０は、図３に示すように、サムネイル画像生成部１２０によって生成された複数のページの各サムネイル画像５１を、表示部１４０の水平方向である第１の方向（Ｘ軸方向）に並べて配置したサムネイル束５０の画像を生成する。つまり、表示画像生成部１３０は、一つのサムネイル束、例えばサムネイル束５０を、一つのファイルに含まれる各ページのサムネイル画像５１を含み、俯瞰可能な構成とする。また、表示画像生成部１３０は、ユーザーが選択して開いているページの画像、もしくは代表ページの画像であるプレビュー画像、例えば第１のプレビュー画像３０ａ、第２のプレビュー画像３０ｂ、および第３のプレビュー画像３０ｃなどを生成し、サムネイル束５０と合わせたファイル画像を生成する。なお、サムネイル束５０の配置数は、一つに限らず、複数であってもよい。
【００３６】
なお、表示画像生成部１３０は、図９に示すように、ファイル画像にリビジョンがある場合、複数の画像としてのサムネイル画像５２ａ，５３ａ，５４ａ，５５ａの内、リビジョンを有するサムネイル画像５２ａ，５３ａ，５４ａに対応する複数のリビジョン画像５２ｂ，５３ｂ，５４ｂ，５２ｃ，５３ｃ，５４ｃを生成し、複数のリビジョン画像５２ｂ，５３ｂ，５４ｂ，５２ｃ，５３ｃ，５４ｃの一部を重ねて表示する表示画像を生成することができる。つまり、表示画像生成部１３０は、リビジョン画像５２ｂ，５２ｃを、サムネイル画像５２ａにそれぞれの一部が重なるように配置し、リビジョン画像５３ｂ，５３ｃをサムネイル画像５３ａにそれぞれの一部が重なるように配置し、リビジョン画像５４ｂ，５４ｃをサムネイル画像５４ａにそれぞれの一部が重なるように配置して、表示部１４０に表示することができる。
【００３７】
図２および、図３に戻り、表示部１４０は、制御部１１０の指示に基づいて、例えば複数のサムネイル画像５１を含むサムネイル束５０、およびサムネイル束５０に含まれる複数のサムネイル画像５１の内から選択されている選択ページ、あるいはこのファイルの代表ページとして選択されているページのプレビュー画像として第１のプレビュー画像３０ａ、第２のプレビュー画像３０ｂ、および第３のプレビュー画像３０ｃを表示する。表示部１４０は、例えば液晶ディスプレイとタッチパッドのような位置入力装置を組み合わせたタッチパネルで構成することができる。
【００３８】
操作部１５０は、ユーザーに操作される操作ボタンやタッチパネルなどによって構成されている。操作部１５０は、操作ボタンを押し下げたり、タッチパネルをドラッグアンドドロップやフリックしたりするなどの操作によって生じる操作信号を、制御部１１０へ送ることができる。
【００３９】
記憶部１６０は、電子書籍データや電子写真データなどを表示部１４０に表示させる画像データとして記憶するメモリーである。なお、記憶部１６０は、ファイルとして、例えば複数の電子書籍データに係る複数のページを一つのまとまりとして収納しているファイルや複数の電子写真データを一つのまとまりとして収納しているファイルなどを記憶することができる。
【００４０】
本実施形態の表示装置１００によれば、サムネイル画像生成部１２０によって生成された、表示部１４０を構成する画面の水平方向である第１の方向（Ｘ軸）に沿った第１の仮想軸上に配置され、この第１の仮想軸と交差する第２の方向（Ｙ軸）に沿った第２の仮想軸を中心に回転させ、さらに、第１の仮想軸を中心に回転させた仮想空間内においてページを俯瞰した画像である複数の画像としてのサムネイル画像５１を用いて表示する。表示装置１００は、表示画像生成部１３０によって生成されたファイル画像として、複数のサムネイル画像５１を第１の方向に並べて配置した画像束としてのサムネイル束５０と、サムネイル束５０に含まれる複数のサムネイル画像５１の内から選択され、一部を重ねて配置されている第１のプレビュー画像３０ａ、第２のプレビュー画像３０ｂ、および第３のプレビュー画像３０ｃと、を表示部１４０に表示する。なお、第１のプレビュー画像３０ａ、第２のプレビュー画像３０ｂ、および第３のプレビュー画像３０ｃは、ファイル画像のリビジョンごとに生成され、表示部１４０に表示されている。このような表示を行う表示装置１００は、表示部１４０に表示されたリビジョンごとに生成された第１のプレビュー画像３０ａ、第２のプレビュー画像３０ｂ、および第３のプレビュー画像３０ｃを、一覧の表示画像としてユーザーが容易に視認可能とすることができる。
【００４１】
なお、制御部１１０は、プレビュー画像に相当するサムネイル画像を、見開き状態で表示することとしてもよい。なお、プレビュー画像に相当するサムネイル画像は、サムネイル束５０に配列されているものであり、見開き状態で表示されているサムネイル画像近傍の他のサムネイル画像同士の間隔が、広がった状態で表示されることになる。このような表示により、サムネイル束５０の中でプレビュー画像に相当するサムネイル画像近傍に位置する他のサムネイル画像を見易くできることから、他のサムネイル画像の内容を知り易くすることができる表示装置１００とすることができる。
【００４２】
また、本実施形態の表示装置１００によれば、ファイル画像にリビジョンがある場合、図９に示して説明するような、サムネイル画像生成部１２０によって生成された複数の画像としてのサムネイル画像５２ａ，５３ａ，５４ａ，５５ａの内、リビジョンを有するサムネイル画像５２ａ，５３ａ，５４ａに対応する複数のリビジョン画像５２ｂ，５３ｂ，５４ｂ，５２ｃ，５３ｃ，５４ｃを生成し、複数のリビジョン画像５２ｂ，５３ｂ，５４ｂ，５２ｃ，５３ｃ，５４ｃの一部を重ねて表示する表示画像を生成することができる。このような表示を行う表示装置１００は、表示部１４０に表示されたリビジョンごとに生成された複数のリビジョン画像５２ｂ，５３ｂ，５４ｂ，５２ｃ，５３ｃ，５４ｃを、一覧の表示画像としてユーザーが容易に視認可能とすることができる。
【００４３】
２．表示方法
２．１．表示方法１
次に、図４を参照し、表示装置１００において表示例１を適用する表示方法１について説明する。図４は、プレビュー画像を用いた表示方法１を説明するフローチャートであり、表示装置１００で実行される処理の流れを示している。なお、表示例１は、上述の図３を参照して説明する。また、表示装置１００における構成部位に関しては、上述と同符号を付して説明する。
【００４４】
制御部１１０は、表示方法１の手順に先立って、サムネイル画像生成部１２０に指示して、選択されたファイルのサムネイル画像５１を生成し、生成した複数のサムネイル画像５１を第１の方向に配列したサムネイル束５０を表示画像生成部１３０によって生成し、表示部１４０に表示する。そして、制御部１１０は、複数のサムネイル画像５１の内から選択された画像に対応したプレビュー画像、例えば第１のプレビュー画像３０ａを生成する。このとき、制御部１１０は、選択されたプレビュー画像に相当するサムネイル画像を、見開き状態で表示することとしてもよい。このように、ファイル画像を構成する複数のサムネイル画像５１の内から選択された画像に対応したプレビュー画像、例えば第１のプレビュー画像３０ａを表示することから、ユーザーは、第１のプレビュー画像３０ａを視認することで、ファイル画像の内容を容易に知ることができる。
【００４５】
なお、画像としてのサムネイル画像５１は、例えば表示部１４０を構成する画面の第１の方向に沿った第１の仮想軸上に配置され、第１の仮想軸と交差し、表示部１４０を構成する画面の第２の方向に沿ったそれぞれの第２の仮想軸を中心にして回転し、さらに第１の仮想軸を中心にして回転して表示されている画像である。このように、サムネイル画像５１は、第１の仮想軸および第２の仮想軸を中心にして回転されることによって、表示を判読可能な状態で画面をユーザーに正対させたとき、複数のサムネイル画像５１で構成されるサムネイル束５０を俯瞰できる状態に変形される。即ち、サムネイル束５０に含まれている複数のサムネイル画像５１を斜め上方から斜視し、俯瞰したときと同様なページの見え方となるように、各ページのサムネイル画像５１が変形されている。
【００４６】
ここで図５Ａ、図５Ｂ、図５Ｃ、図５Ｄ、および図５Ｅを参照して、サムネイル画像を変形させる処理について説明する。図５Ａ〜図５Ｅは、サムネイル画像を変形させる処理を説明するための図である。なお、以下、サムネイル画像を変形させる処理についての説明では、上述において付されていたサムネイル画像の符号５１を省略している。
【００４７】
サムネイル画像生成部１２０から供給される各サムネイル画像は、電子書籍や電子写真などの各ページを平面視した画像であり、図５Ｂに示すように、縦方向の長さをＬ、横方向の長さをＳとした画像１１ｂである。換言すれば、画像１１ｂは、縦方向の辺が表示部１４０の第２の方向に沿った縦方向と平行であり、横方向の辺が表示部１４０の第１の方向に沿った横方向と平行に構成されている。
【００４８】
サムネイル画像生成部１２０は、電子書籍や電子写真などの各ページを表す各サムネイル画像を変形した画像を生成する。具体的に、サムネイル画像生成部１２０は、各ページについて、図５Ａに示すように、ページ１１ａを仮想空間内の仮想水平面Ｎに設定された第１の仮想軸Ｑ上に立てて配置し、第１の仮想軸Ｑと交差するそれぞれの第２の仮想軸Ｍを中心にして、ページ１１ａの横方向が表示部１４０の横方向に平行な基準位置１１から回転角θで回転させる。さらに、サムネイル画像生成部１２０は、仮想空間内においてそれぞれの第２の仮想軸Ｍを中心にして回転されたページ１１ａを、第１の仮想軸Ｑを中心にして俯角φ（不図示）で回転させた画像を生成する。即ち、サムネイル画像生成部１２０は、仮想空間内において、第２の仮想軸Ｍを中心にして回転させたページ１１ａの上辺より上の視点から、ページ１１ａを俯角φ（不図示）で斜めに見下ろしている画像を生成する。換言すれば、各サムネイル画像を変形した画像は、仮想空間内においてページ１１ａの上辺より上の視点からページ１１ａを俯角φ（不図示）で斜視し、俯瞰している画像として生成される。なお、ページを回転させていない場合、ページの横方向が表示部１４０の横方向（第１の方向）に平行な状態であり、回転角θは０°である。また、俯角φは予め定められた角度となっている。また、第２の仮想軸Ｍは、ページの縦方向（第２の方向）の辺に沿って平行である構成に限定されるものではなく、ページの横方向の辺と交差する構成であってもよい。
【００４９】
具体的には、先ず、サムネイル画像生成部１２０は、各ページを正面から見た画像１１ｂ（図５Ｂ参照）に対して、図５Ｃに示すように、横幅を変化させないようにしつつ、縦方向の変形を加え、図５Ｂの画像１１ｂの右辺を左辺に対してＳ・ｓｉｎθ・ｔａｎφだけずらした画像１１ｃを生成する。次に、サムネイル画像生成部１２０は、図５Ｄに示すように、図５Ｃの画像１１ｃを、ｃｏｓθの倍率で横方向に縮小した画像１１ｄを生成する。この結果、画像１１ｄの横幅は、Ｓ・ｃｏｓθとなる。そして、サムネイル画像生成部１２０は、最後に図５Ｅに示すように、図５Ｄの画像１１ｄをｃｏｓφの倍率で縦方向に縮小した画像１１ｅを生成する。この結果、画像１１ｅの縦方向の寸法は、Ｌ・ｃｏｓφとなる。これにより、ページを第２の仮想軸Ｍを中心にして回転角θで回転させ、さらに、第１の仮想軸Ｑを中心に回転させた画像１１ｅが得られる。換言すれば、ページを第２の仮想軸Ｍを中心にして回転角θで回転させ、且つ、ページの上辺より上の視点からページを俯角φで見下ろしたときの画像１１ｅが得られる。
【００５０】
なお、回転角θは、選択ページデータで特定される選択ページについては予め定められた回転角θ１にされ、選択ページの一つ前のページについては、予め定められた回転角−θ１にされる。また、選択ページ以外のページについては、選択ページからページ番号が離れるにつれて回転角θは徐々に大きな角度にされ、選択ページより後のページの回転角θは、本実施形態においては、θ１＜θ＜９０°の範囲にされ、選択ページより前のページの回転角θは、本実施形態においては、−θ１＞−θ＞−９０°の範囲にされる。
【００５１】
次に、制御部１１０は、図４のフローチャートに示すように、表示されているファイル画像にリビジョンがあるか否かを判定する（ステップＳ２０１）。そして、制御部１１０は、ファイル画像にリビジョンがある場合（ステップＳ２０１：Ｙｅｓ）、表示画像生成部１３０に指示し、プレビュー画像をリビジョンごとに、例えば第１のプレビュー画像３０ａ、第２のプレビュー画像３０ｂ、および第３のプレビュー画像３０ｃなどのように生成する（ステップＳ２０２）。
【００５２】
なお、制御部１１０は、ファイル画像にリビジョンがない場合（ステップＳ２０１：Ｎｏ）、代表ページなどのプレビュー画像を生成し、サムネイル束５０と、サムネイル束５０の第１の方向の隣りに配置する、サムネイル画像５１の内から選択された一つのプレビュー画像としての、例えば第１のプレビュー画像３０ａと、を通常表示する（ステップＳ２０３）。
【００５３】
次に、制御部１１０は、表示画像生成部１３０に指示し、リビジョンごとに生成された第１のプレビュー画像３０ａ、第２のプレビュー画像３０ｂ、および第３のプレビュー画像３０ｃを、それぞれの一部が重なるように配置した表示画像を生成し、表示部１４０に表示する（ステップＳ２０４）。
【００５４】
ステップＳ２０４では、具体的に、表示画像生成部１３０は、第１のプレビュー画像３０ａを一番手前に位置するメイン表示として配置し、第２のプレビュー画像３０ｂを第１のプレビュー画像３０ａの後部に、第１のプレビュー画像３０ａに一部が重なるように配置し、第３のプレビュー画像３０ｃを第２のプレビュー画像３０ｂの後部に、第２のプレビュー画像３０ｂに一部が重なるように配置する。即ち、表示画像生成部１３０は、一つのサムネイル束５０に対し、重ねて表示された第１のプレビュー画像３０ａ、第２のプレビュー画像３０ｂ、および第３のプレビュー画像３０ｃの三つのプレビュー画像を、サムネイル束５０の第１の方向（Ｘ軸）に沿った位置に並べて配置し、表示部１４０に表示する。
【００５５】
また、制御部１１０は、第１のプレビュー画像３０ａ、第２のプレビュー画像３０ｂ、および第３のプレビュー画像３０ｃのそれぞれに、それぞれのリビジョンを特定する識別マーク２１ａ，２１ｂ，２１ｃを表示する。ここで、本例の識別マーク２１ａ，２１ｂ，２１ｃは、リビジョンの実行日時を表示している。このように、それぞれのリビジョンを特定する識別マーク２１ａ，２１ｂ，２１ｃを、第１のプレビュー画像３０ａ、第２のプレビュー画像３０ｂ、および第３のプレビュー画像３０ｃのそれぞれに付帯表示することにより、ユーザーは、第１のプレビュー画像３０ａ、第２のプレビュー画像３０ｂ、および第３のプレビュー画像３０ｃのそれぞれのリビジョンの内容や実行日時などを容易に知ることができる。
【００５６】
以上の手順で、表示例１を表示部１４０に表示する表示方法１の一連の処理を終了する。
【００５７】
このような表示方法１によれば、ファイル画像のリビジョンに対応するプレビュー画像として、第１のプレビュー画像３０ａ、第２のプレビュー画像３０ｂ、および第３のプレビュー画像３０ｃを生成し、それぞれのプレビュー画像の一部が重なるように表示する。したがって、ユーザーは、ファイル画像のリビジョンごとに生成された複数のプレビュー画像としての第１のプレビュー画像３０ａ、第２のプレビュー画像３０ｂ、および第３のプレビュー画像３０ｃを、重なっていない部分によって一覧画像として視認することが可能となり、リビジョンの経過内容や推移を容易に認識することができる。
【００５８】
また、表示方法１によれば、プレビュー画像が、ファイル画像を構成する複数の画像としてのサムネイル画像５１の内から選択された画像に対応していることから、ユーザーは、プレビュー画像を視認することで、ファイル画像の内容を容易に知ることができる。
【００５９】
また、表示方法１によれば、ファイル画像が、プレビュー画像と、複数のサムネイル画像５１が並ぶサムネイル束５０と、が並ぶ表示形態として表示されることから、ユーザーは、ファイル画像に含まれる内容を、容易に判読することができる。
【００６０】
２．２．表示方法２
次に、図６Ａ、図６Ｂ、および図７を参照し、表示装置１００における表示方法２について説明する。図６Ａは、プレビュー画像の移動前の状態を示す図である。図６Ｂは、プレビュー画像の移動後の状態を示す図である。図７は、プレビュー画像を用いた表示方法２を説明するフローチャートである。なお、表示方法２では、前述の表示方法１で説明した構成と同様な、リビジョンごとのプレビュー画像と、複数のサムネイル画像５１で構成されたサムネイル束５０と、が並ぶ表示構成を適用している。したがって、表示方法１と同構成には同符号を付している。また、表示方法２、および表示例２の説明においても、表示装置１００における構成部位に関しては、上述と同符号を付して説明する。
【００６１】
図６Ａに示すように、先ず、制御部１１０は、表示方法２の手順に先立って、表示方法１と同様に、サムネイル画像生成部１２０に指示して、選択されたファイルのサムネイル画像５１を生成し、生成した複数のサムネイル画像５１を第１の方向に配列したサムネイル束５０ａを表示画像生成部１３０によって生成し、表示部１４０に表示する。このとき、制御部１１０は、選択されたプレビュー画像に相当するサムネイル画像を、見開き状態で表示することとしてもよい。なお、サムネイル画像５１は、表示方法１と同様に生成するため、ここでの詳細な説明を省略する。
【００６２】
次に、制御部１１０は、図７のフローチャートに示すように、表示されているファイル画像にリビジョンがあるか否かを判定する（ステップＳ２０１）。そして、制御部１１０は、ファイル画像にリビジョンがある場合（ステップＳ２０１：Ｙｅｓ）、表示画像生成部１３０に指示し、プレビュー画像をリビジョンごとに、例えば第１のプレビュー画像３０ａ、第２のプレビュー画像３０ｂ、および第３のプレビュー画像３０ｃなどのように生成する（ステップＳ２０２）。
【００６３】
なお、制御部１１０は、ファイル画像にリビジョンがない場合（ステップＳ２０１：Ｎｏ）、代表ページなどのプレビュー画像を生成し、サムネイル束５０と、サムネイル束５０の第１の方向の隣りに配置するサムネイル束５０の一つのプレビュー画像と、を通常表示する（ステップＳ２０３）。
【００６４】
次に、制御部１１０は、表示画像生成部１３０に指示し、リビジョンごとに生成された第１のプレビュー画像３０ａ、第２のプレビュー画像３０ｂ、および第３のプレビュー画像３０ｃを、それぞれの一部が重なるように配置した表示画像を生成し、表示部１４０に表示する（ステップＳ２０４）。
【００６５】
ステップＳ２０４では、具体的に、表示画像生成部１３０は、第１のプレビュー画像３０ａを一番手前に位置するメイン表示として配置し、第２のプレビュー画像３０ｂを第１のプレビュー画像３０ａの後部に、第１のプレビュー画像３０ａに一部が重なるように配置し、第３のプレビュー画像３０ｃを第２のプレビュー画像３０ｂの後部に、第２のプレビュー画像３０ｂに一部が重なるように配置する。即ち、表示画像生成部１３０は、一つのサムネイル束５０に対し、重ねて表示された第１のプレビュー画像３０ａ、第２のプレビュー画像３０ｂ、および第３のプレビュー画像３０ｃの三つのプレビュー画像を、サムネイル束５０の第１の方向（Ｘ軸方向）に沿った位置に並べて配置し、表示部１４０に表示する。
【００６６】
また、制御部１１０は、第１のプレビュー画像３０ａ、第２のプレビュー画像３０ｂ、および第３のプレビュー画像３０ｃのそれぞれに、それぞれのリビジョンを特定する識別マーク２１ａ，２１ｂ，２１ｃを表示する。識別マーク２１ａ，２１ｂ，２１ｃは、第１のプレビュー画像３０ａ、第２のプレビュー画像３０ｂ、および第３のプレビュー画像３０ｃがそれぞれ重なったときに、重ならずに露出する領域に設けられることが好ましい。つまり、第１のプレビュー画像３０ａ、第２のプレビュー画像３０ｂ、および第３のプレビュー画像３０ｃのそれぞれが重なって表示されているときでも、それぞれの識別マーク２１ａ，２１ｂ，２１ｃを一通り見ることができる。ここで、本例の識別マーク２１ａ，２１ｂ，２１ｃは、リビジョンの実行日時を表示している。
【００６７】
次に、制御部１１０は、ユーザーによって、プレビュー画像の移動指示があるか否かを判定する（ステップＳ２１０）。なお、この移動指示は、ユーザーが、例えば図６Ａに示す矢印Ｓ１の方向に、表示部１４０の表面に対してドラッグアンドドロップやフリックなどの動作を行うことによって実行することができる。ここで、矢印Ｓ１の方向は、第１の方向や第２の方向と異なる方向とすることが好ましい。第１の方向や第２の方向は、例えばサムネイル束５０ａの移動やサムネイル画像５１の移動などを指示する、他の移動指示を行う方向である。本例において、矢印Ｓ１の方向は、第１の方向と交差する斜め方向に沿って設定されている。
【００６８】
そして、制御部１１０は、プレビュー画像の移動指示がある場合（ステップＳ２１０：Ｙｅｓ）、例えば１回のフリックがあった場合は、図６Ｂに示すように、第１のプレビュー画像３０ａを下方に移動させ、第２のプレビュー画像３０ｂが前面に一面表示されるように表示画像を変更する（ステップＳ２１１）。なお、制御部１１０は、ステップＳ２１１において、例えば２回のフリックがあった場合、第１のプレビュー画像３０ａおよび第２のプレビュー画像３０ｂを下方に移動させ、第３のプレビュー画像３０ｃが前面に一面表示されるように表示画像を変更することができる。
【００６９】
なお、図７には示していないが、プレビュー画像の移動指示がない場合（ステップＳ２１０：Ｎｏ）、制御部１１０は、ステップＳ２０４における表示画像の表示を続ける。但し、ステップＳ２０４における表示画像の表示は、設定された所定の経過時間、もしくはユーザーからの表示終了指示がある場合、終了とすることができる。
【００７０】
以上の手順で、表示例１を表示部１４０に表示し、表示されているプレビュー画像を移動させる表示方法２の一連の処理を終了する。
【００７１】
上述の表示方法２によれば、表示部１４０に対するフリックなどのプレビュー画像に対する移動指示によってプレビュー画像が移動し、例えばメイン表示されている第１のプレビュー画像３０ａが第２のプレビュー画像３０ｂに切り替わることから、ユーザーがフォーカスしたいプレビュー画像を適宜選択し、視認することができる。
【００７２】
なお、図６Ｂに示されているように、第１のプレビュー画像３０ａを下方に移動させ、第２のプレビュー画像３０ｂが前面に一面表示されるように表示画像が変更された状態で、例えば図６Ａに示す矢印Ｓ１と反対方向に、表示部１４０の表面に対してドラッグアンドドロップやフリックなどの動作を行うことによって、第１のプレビュー画像３０ａを元の位置に移動させ、第２のプレビュー画像３０ｂの前の位置に重ねて表示することができる。
【００７３】
２．３．プレビュー画像を用いた表示例２
次に、図８を参照して、プレビュー画像を用いた表示画像の表示例２について説明する。図８は、プレビュー画像を用いた表示画像の表示例２を示す図である。図３に示して説明した表示例１は、ファイル画像にリビジョンがある場合、例えばリビジョンごとのプレビュー画像として、表示部１４０の水平方向である第１の方向に並べて表示していた。このような表示例１と比較し、本表示例２では、ファイル画像にリビジョンがある場合、リビジョンごとにサムネイル束およびプレビュー画像を生成し、それぞれサムネイル束およびプレビュー画像を合わせたファイル画像として、第１の方向と交差する第２の方向（Ｙ軸方向）に沿って並べて表示する。
【００７４】
図８に示すように、プレビュー画像を用いた表示画像の表示例２は、リビジョンをそれぞれ有する五つのファイル画像を表示している。五つのファイル画像は、それぞれリビジョンを有するファイル画像として、複数のサムネイル画像５１を第１の方向に配列したサムネイル束５１１、およびサムネイル束５１１の左横に配置されたプレビュー画像３０１を含む第１のファイル画像と、同様に構成されたサムネイル束５１２、およびプレビュー画像３０２を含む第２のファイル画像と、同様に構成されたサムネイル束５１３、およびプレビュー画像３０３を含む第３のファイル画像と、同様に構成されたサムネイル束５１４、およびプレビュー画像３０４を含む第４のファイル画像と、同様に構成されたサムネイル束５１５、およびプレビュー画像３０５を含む第５のファイル画像と、を含む。五つのファイル画像は、第１のファイル画像から第１の方向と交差する第２の方向（Ｙ軸）に沿って、第５のファイル画像まで順次並べて表示されている。なお、プレビュー画像３０１，３０２，３０３，３０４，３０５それぞれには、それぞれのリビジョンを特定する識別マーク２１１，２１２，２１３，２１４，２１５として、それぞれのリビジョンの実行日時が表示されている。
【００７５】
表示例２のように、リビジョンごとに生成したサムネイル束５１１，５１２，５１３，５１４，５１５、およびプレビュー画像３０１，３０２，３０３，３０４，３０５が、それぞれのファイル画像として第２の方向に並べて表示されていることにより、ユーザーは、リビジョンごとのファイル画像の内容をより詳細に判読することができる。
【００７６】
２．４．表示方法３
次に、図９、および図１０を参照し、表示装置１００において表示例３を適用する表示方法３について説明する。図９は、リビジョン画像を用いた表示画像の表示例３を示す図である。図１０は、リビジョン画像を用いた表示方法３を説明するフローチャートである。なお、表示装置１００における構成部位に関しては、上述と同符号を付して説明する。
【００７７】
図９に示すように、先ず、制御部１１０は、図１０に示す表示方法３の手順に先立って、サムネイル画像生成部１２０に指示し、選択されたファイルの画像としてのサムネイル画像５２ａ，５３ａ，５４ａ，５５ａなどを生成させる、そして、制御部１１０は、生成した複数のサムネイル画像５２ａ，５３ａ，５４ａ，５５ａなどを第１の方向に配列した画像束としてのサムネイル束６０ａを表示画像生成部１３０によって生成させ、表示部１４０に表示する。このとき、制御部１１０は、選択された、例えばサムネイル画像５２ａ，５３ａ，５４ａの間隔を広げて表示したり、見開き状態で表示したりしてもよい。なお、サムネイル画像５２ａ，５３ａ，５４ａ，５５ａは、表示方法１と同様に生成するため、ここでの詳細な説明を省略する。
【００７８】
次に、制御部１１０は、図１０のフローチャートに示すように、表示されているファイル画像にリビジョンがあるか否かを判定する（ステップＳ３０１）。そして、制御部１１０は、ファイル画像にリビジョンがある場合（ステップＳ３０１：Ｙｅｓ）、表示画像生成部１３０に指示し、サムネイル束６０ａを構成するサムネイル画像５２ａ，５３ａ，５４ａ，５５ａの内でリビジョンのある画像、例えばサムネイル画像５２ａ，５３ａ，５４ａに対応する複数のリビジョン画像として、２行目のリビジョン画像５２ｂ，５３ｂ，５４ｂと、３行目のリビジョン画像５２ｃ，５３ｃ，５４ｃと、を生成する（ステップＳ３０２）。
【００７９】
なお、制御部１１０は、ファイル画像にリビジョンがない場合（ステップＳ３０１：Ｎｏ）、サムネイル画像５２ａ，５３ａ，５４ａ，５５ａなどが並んで構成されるサムネイル束６０ａを通常表示する（ステップＳ３０３）。
【００８０】
次に、制御部１１０は、表示画像生成部１３０に指示し、リビジョンごとに生成された２行目のリビジョン画像５２ｂ，５３ｂ，５４ｂと、３行目のリビジョン画像５２ｃ，５３ｃ，５４ｃとを、サムネイル画像５２ａ，５３ａ，５４ａにそれぞれの一部が重なるように配置して表示する（ステップＳ３０４）。具体的には、リビジョン画像５２ｂ，５２ｃを、サムネイル画像５２ａにそれぞれの一部が重なるように配置し、リビジョン画像５３ｂ，５３ｃをサムネイル画像５３ａにそれぞれの一部が重なるように配置し、リビジョン画像５４ｂ，５４ｃをサムネイル画像５４ａにそれぞれの一部が重なるように配置して、表示部１４０に表示する。
【００８１】
また、制御部１１０は、リビジョンを有する、例えばリビジョン画像５２ｂ、およびリビジョン画像５２ｃのそれぞれに、それぞれのリビジョンを特定する識別マーク２２ｂ，２２ｃを表示してもよい。識別マーク２２ｂ，２２ｃは、サムネイル画像５２ａ、リビジョン画像５２ｂ、およびリビジョン画像５２ｃのそれぞれが重なったときに、重ならずに露出する領域に設けられることが好ましい。ここで、本例の識別マーク２２ｂ，２２ｃは、リビジョンの実行日時を表示している。このように、それぞれのリビジョンを特定する識別マーク２２ｂ，２２ｃを、リビジョン画像５２ｂ、およびリビジョン画像５２ｃのそれぞれに付帯表示することにより、ユーザーは、それぞれのリビジョンの内容や実行日時などを容易に知ることができる。なお、サムネイル画像５２ａにもリビジョンがある場合は、サムネイル画像５２ａにもリビジョンを特定する識別マークを設けてもよい。
【００８２】
以上の手順で、表示例３を表示部１４０に表示する表示方法３の一連の処理を終了する。
【００８３】
このような表示方法３によれば、画像束としてのサムネイル束６０ａを構成するサムネイル画像５２ａ，５３ａ，５４ａ，５５ａの内のリビジョンが有るサムネイル画像５２ａ，５３ａ，５４ａに対応する２行目のリビジョン画像５２ｂ，５３ｂ，５４ｂ、および３行目のリビジョン画像５２ｃ，５３ｃ，５４ｃをリビジョンごとに生成し、生成した複数のリビジョン画像５２ｂ，５３ｂ，５４ｂ，５２ｃ，５３ｃ，５４ｃを、対応するサムネイル画像５２ａ，５３ａ，５４ａを基にして、それぞれのリビジョン画像５２ｂ，５３ｂ，５４ｂ，５２ｃ，５３ｃ，５４ｃの一部を重ねて表示する。したがって、ユーザーは、リビジョンごとの複数のリビジョン画像５２ｂ，５３ｂ，５４ｂ，５２ｃ，５３ｃ，５４ｃを一覧の表示画像として容易に視認することが可能となる。
【００８４】
２．５．表示方法４
次に、図１１、および図１２を参照し、表示装置１００における表示方法４について説明する。図１１は、リビジョン画像の移動を説明する図である。図１２は、リビジョン画像を用いた表示方法４を説明するフローチャートである。なお、表示方法４では、前述の表示方法３で説明した構成と同様な、リビジョンごとのリビジョン画像を含むサムネイル束６０ｂを有する表示構成を適用している。したがって、表示方法３と同構成には同符号を付している。また、表示方法４の説明においても、表示装置１００における構成部位に関しては、上述と同符号を付して説明する。
【００８５】
図１１に示すように、先ず、制御部１１０は、図１２に示す表示方法４の手順に先立って、サムネイル画像生成部１２０に指示し、選択されたファイルの画像としてのサムネイル画像５２ａ，５３ａ，５４ａ，５５ｂなどを生成させ、生成した複数のサムネイル画像５２ａ，５３ａ，５４ａ，５５ｂなどを第１の方向に配列した画像束としてのサムネイル束６０ｂを表示画像生成部１３０によって生成させ、表示部１４０に表示する。このとき、制御部１１０は、選択された、例えばサムネイル画像５２ａ，５３ａ，５４ａの間隔を広げて表示したり、見開き状態で表示したりしてもよい。なお、サムネイル画像５２ａ，５３ａ，５４ａ，５５ｂは、表示方法１と同様に生成するため、ここでの詳細な説明を省略する。
【００８６】
次に、制御部１１０は、図１２のフローチャートに示すように、表示されているファイル画像にリビジョンがあるか否かを判定する（ステップＳ３０１）。そして、制御部１１０は、ファイル画像にリビジョンがある場合（ステップＳ３０１：Ｙｅｓ）、表示画像生成部１３０に指示し、サムネイル束６０ｂを構成するサムネイル画像５２ａ，５３ａ，５４ａ，５５ｂの内でリビジョンのある画像、例えばサムネイル画像５２ａ，５３ａ，５４ａに対応する複数のリビジョン画像として、２行目のリビジョン画像５２ｂ，５３ｂ，５４ｂ、および３行目のリビジョン画像５２ｃ，５３ｃ，５４ｃを生成する（ステップＳ３０２）。
【００８７】
なお、制御部１１０は、ファイル画像にリビジョンがない場合（ステップＳ３０１：Ｎｏ）、サムネイル画像５２ａ，５３ａ，５４ａ，５５ｂなどが並んで構成されるサムネイル束６０ｂを通常表示する（ステップＳ３０３）。
【００８８】
次に、制御部１１０は、表示画像生成部１３０に指示し、リビジョンごとに生成された２行目のリビジョン画像５２ｂ，５３ｂ，５４ｂ、および３行目のリビジョン画像５２ｃ，５３ｃ，５４ｃを、サムネイル画像５２ａ，５３ａ，５４ａにそれぞれの一部が重なるように配置して表示する（ステップＳ３０４）。具体的には、リビジョン画像５２ｂ，５２ｃを、サムネイル画像５２ａにそれぞれの一部が重なるように重ねて配置し、リビジョン画像５３ｂ，５３ｃをサムネイル画像５３ａにそれぞれの一部が重なるように重ねて配置し、リビジョン画像５４ｂ，５４ｃをサムネイル画像５４ａにそれぞれの一部が重なるように重ねて配置して、表示部１４０に表示する。
【００８９】
次に、制御部１１０は、ユーザーによって、リビジョン画像の移動指示があるか否かを判定する（ステップＳ３１０）。なお、この移動指示は、例えば、図１１に示す矢印Ｓ２の方向に、表示部１４０の表面に対してドラッグアンドドロップやフリックなどの動作を行うことによって実行することができる。ここで、矢印Ｓ２の方向は、例えば第２の方向のように設定された方向とすることができる。
【００９０】
そして、制御部１１０は、リビジョン画像の移動指示がある場合（ステップＳ３１０：Ｙｅｓ）、例えば１回のフリックがあった場合は、図１１に示すように、１行目のサムネイル画像５２ａ，５３ａ，５４ａを下方に移動させ、２行目のリビジョン画像５２ｂ，５３ｂ，５４ｂが前面に一面表示されるように表示画像を変更する（ステップＳ３１１）。なお、制御部１１０は、ステップＳ３１１において、例えば２回のフリックがあった場合、２行目のリビジョン画像５２ｂ，５３ｂ，５４ｂを下方に移動させ、３行目のリビジョン画像５２ｃ，５３ｃ，５４ｃが前面に一面表示されるように表示画像を変更することができる。
【００９１】
なお、図１１には示していないが、リビジョン画像の移動指示がない場合（ステップＳ３１０：Ｎｏ）、制御部１１０は、ステップＳ３０４における表示画像の表示を続ける。但し、ステップＳ３０４における表示画像の表示は、設定された所定の経過時間、もしくはユーザーからの表示終了指示がある場合、終了とすることができる。
【００９２】
以上の手順で、表示例３を表示部１４０に表示し、表示されているプレビュー画像を移動させる表示方法４の一連の処理を終了する。
【００９３】
上述の表示方法４によれば、上述した表示方法３と同様の効果に加え、表示部１４０に対するフリックなどによって実行されたリビジョン画像に対する移動指示により、サムネイル画像５２ａ，５３ａ，５４ａや２行目のリビジョン画像５２ｂ，５３ｂ，５４ｂ、もしくは３行目のリビジョン画像５２ｃ，５３ｃ，５４ｃが移動する。この移動により、例えばメイン表示されているサムネイル画像５２ａ，５３ａ，５４ａがリビジョン画像５２ｂ，５３ｂ，５４ｂに切り替わることから、ユーザーがフォーカスしたいプレビュー画像を適宜選択し、視認することができる。
【００９４】
なお、表示方法４では、移動前にメイン表示されている画像をサムネイル画像５２ａ，５３ａ，５４ａとして説明したが、サムネイル画像５２ａ，５３ａ，５４ａもリビジョンを有しているとすれば、サムネイル画像５２ａ，５３ａ，５４ａを、リビジョン画像と言い換えることができる。
【００９５】
また、図１１に示されているように、サムネイル画像５２ａ，５３ａ，５４ａを下方に移動させ、２行目のリビジョン画像５２ｂ，５３ｂ，５４ｂが前面に一面表示されるように表示画像が変更された状態で、矢印Ｓ２と反対方向に、表示部１４０の表面に対してドラッグアンドドロップやフリックなどの動作を行うことによって、サムネイル画像５２ａ，５３ａ，５４ａを元の位置に移動させ、２行目のリビジョン画像５２ｂ，５３ｂ，５４ｂの前に重ねて表示することができる。
【００９６】
２．６．リビジョン画像を用いた表示例４
次に、図１３を参照して、リビジョン画像を用いた表示画像の表示例４について説明する。図１３は、リビジョン画像を用いた表示画像の表示例４を示す図である。
【００９７】
図１１に示して説明した表示例３は、ファイル画像にリビジョンがある場合、リビジョンのある画像としてのサムネイル画像５２ａ，５３ａ，５４ａに対応するリビジョン画像５２ｂ，５３ｂ，５４ｂなどを生成し、サムネイル画像５２ａ，５３ａ，５４ａに一部が重なるようにリビジョン画像５２ｂ，５３ｂ，５４ｂを後方に並べて表示していた。このような表示例３と比較し、本表示例４では、ファイル画像にリビジョンがある場合、リビジョンごとに代表のサムネイル画像に対応するリビジョン画像を生成し、代表のサムネイル画像に一部が重なるようにリビジョン画像を後方に並べて表示する。なお、代表のサムネイル画像にもリビジョンがある場合は、代表のサムネイル画像をリビジョン画像と言い換えることができる。
【００９８】
図１３に示すように、リビジョン画像を用いた表示画像の表示例４は、それぞれリビジョンを有する三つのファイル画像を想定している。表示例４では、複数のサムネイル画像５１を第１の方向に並べたサムネイル束５０が表示され、代表サムネイル画像として、左端のサムネイル画像５６ａを選定している。なお、以下では、選定されたサムネイル画像５６ａを、リビジョン画像５６ａと言い換えて説明する。
【００９９】
そして、リビジョンを有する三つのファイル画像のリビジョン画像として、リビジョン画像５６ａ，５６ｂ，５６ｃが生成され、リビジョン画像５６ａに一部が重なるように、リビジョン画像５６ｂをリビジョン画像５６ａの後方に表示し、さらにリビジョン画像５６ｂに一部が重なるように、リビジョン画像５６ｃをリビジョン画像５６ｂの後方に表示している。即ち、三つのリビジョン画像５６ａ，５６ｂ，５６ｃが、それぞれ一部が重なるように、斜め後方に並ぶように配置され、表示部１４０に表示されている。なお、図示していないが、三つのリビジョン画像５６ａ，５６ｂ，５６ｃのそれぞれには、それぞれのリビジョンを特定する識別マークが付帯表示されてもよい。
【０１００】
上述した表示例４によれば、ファイル画像にリビジョンがある場合、リビジョンごとに代表のサムネイル画像５６ａ、換言すればリビジョン画像５６ａに対応するリビジョン画像５６ｂ，５６ｃを生成し、代表のサムネイル画像５６ａに一部が重なるように後方に並べて表示する。したがって、ユーザーは、リビジョンごとの複数のリビジョン画像５６ａ，５６ｂ，５６ｃを、リビジョンに係る一覧の表示画像として容易に視認することが可能となる。
【０１０１】
２．７．リビジョン画像を用いた表示例５
次に、図１４を参照して、リビジョン画像を用いた表示画像の表示例５について説明する。図１４は、リビジョン画像を用いた表示画像の表示例５を示す図である。
【０１０２】
図１３に示して説明した表示例４は、ファイル画像にリビジョンがある場合、リビジョンごとに代表のサムネイル画像５６ａに対応するリビジョン画像５６ｂ，５６ｃを生成し、代表のサムネイル画像５６ａに一部が重なるようにリビジョン画像５６ｂ，５６ｃを後方に並べて表示していた。このような表示例４と比較し、本表示例５では、ファイル画像にリビジョンがある場合、リビジョンごとに全てのサムネイル画像に対応する第２のリビジョン画像を生成し、全てのサムネイル画像または第２のサムネイル画像に一部が重なるように後方に並べて第２のリビジョン画像を表示する。
【０１０３】
図１４に示すように、リビジョン画像を用いた表示画像の表示例５は、それぞれリビジョンを有する三つのファイル画像を想定している。表示例５では、例えば複数のサムネイル画像７１ａ，７２ａ，７３ａ，７４ａ，７５ａを、第１の方向に並べたサムネイル束８０ａが、メイン表示の画像束として表示されている。なお、サムネイル束８０ａにリビジョンがある場合は、サムネイル束８０ａを構成するサムネイル画像７１ａ，７２ａ，７３ａ，７４ａ，７５ａを、リビジョン画像と言い換えることができる。
【０１０４】
具体的に、表示例５では、リビジョンを有する一つ目のファイル画像のリビジョン画像として、複数のサムネイル画像７１ａ，７２ａ，７３ａ，７４ａ，７５ａで構成されたサムネイル束８０ａが表示されている。本例では、サムネイル画像７１ａをリビジョンのある画像として例示し、以下の説明を行う。
【０１０５】
加えて、リビジョンを有する二つ目のファイル画像のリビジョン画像として、サムネイル束８０ａを構成する複数のサムネイル画像７１ａ，７２ａ，７３ａ，７４ａ，７５ａのそれぞれに対応するリビジョン画像７１ｂ、および第２のリビジョン画像７２ｂ，７３ｂ，７４ｂ，７５ｂを生成する。そして、サムネイル画像７１ａ，７２ａ，７３ａ，７４ａ，７５ａのそれぞれに一部が重なるように、対応するリビジョン画像７１ｂ、および第２のリビジョン画像７２ｂ，７３ｂ，７４ｂ，７５ｂを、サムネイル画像７１ａ，７２ａ，７３ａ，７４ａ，７５ａの斜め後方に表示する。このリビジョン画像７１ｂ、および第２のリビジョン画像７２ｂ，７３ｂ，７４ｂ，７５ｂで構成された画像束が、見かけ上のサムネイル束８０ｂとなる。
【０１０６】
さらに、リビジョンを有する三つ目のファイル画像のリビジョン画像として、サムネイル束８０ａを構成する複数のサムネイル画像７１ａ，７２ａ，７３ａ，７４ａ，７５ａのそれぞれに対応するリビジョン画像７１ｃ、」および第２のリビジョン画像７２ｃ，７３ｃ，７４ｃ，７５ｃを生成する。そして、リビジョン画像７１ｂ、および第２のリビジョン画像７２ｂ，７３ｂ，７４ｂ，７５ｂのそれぞれに一部が重なるように、対応するリビジョン画像７１ｃ、および第２のリビジョン画像７２ｃ，７３ｃ，７４ｃ，７５ｃを、リビジョン画像７１ｂ、」および第２のリビジョン画像７２ｂ，７３ｂ，７４ｂ，７５ｂの斜め後方に表示する。このリビジョン画像７１ｃ、および第２のリビジョン画像７２ｃ，７３ｃ，７４ｃ，７５ｃで構成された画像束が、見かけ上のサムネイル束８０ｃとなる。
【０１０７】
なお、図示していないが、サムネイル画像７１ａ，７２ａ，７３ａ，７４ａ，７５ａの少なくとも一つ、リビジョン画像７１ｂ、および第２のリビジョン画像７２ｂ，７３ｂ，７４ｂ，７５ｂの少なくとも一つ、リビジョン画像７１ｃ、および第２のリビジョン画像７２ｃ，７３ｃ，７４ｃ，７５ｃの少なくとも一つに、それぞれファイル画像のリビジョンを特定する識別マークが付帯表示されてもよい。
【０１０８】
上述した表示例５によれば、ファイル画像にリビジョンがある場合、リビジョンごとにサムネイル画像７１ａ，７２ａ，７３ａ，７４ａ，７５ａのそれぞれに対応するリビジョン画像７１ｂ、および第２のリビジョン画像７２ｂ，７３ｂ，７４ｂ，７５ｂと、リビジョン画像７１ｃ、および第２のリビジョン画像７２ｃ，７３ｃ，７４ｃ，７５ｃと、を生成する。そして、対応するそれぞれの画像の一部が重なるように並べて配置し、表示部１４０に表示する。したがって、ユーザーは、リビジョンごとの画像で構成された複数の画像束としてサムネイル束８０ａ，８０ｂ，８０ｃを、リビジョンに係る一覧の表示画像として容易に視認することが可能となる。
【０１０９】
なお、上述の実施形態では、表示装置１００としてスマートフォンタイプの通信端末装置を例示して説明したがこれに限らない。他の表示装置としては、例えばタブレット端末、パーソナルコンピューターのディスプレイなどを適用することができる。また、表示装置として、例えば映像投射用のスクリーンなどを表示部として用い、スクリーンなどにサムネイル画像などの画像を含むサムネイル束などの画像束や他の画像を含み構成された画像を投影するプロジェクターを適用することができる。
【０１１０】
以下に、上述した実施形態から導き出される内容を、各態様として記載する。
【０１１１】
［態様１］本態様に係る表示方法は、第１の仮想軸上に配置され、前記第１の仮想軸と交差するそれぞれの第２の仮想軸を中心にして回転し、さらに前記第１の仮想軸を中心にして回転して表示される画像を含むファイル画像を表示部に表示する表示方法であって、前記ファイル画像にリビジョンがある場合、前記ファイル画像に対応するプレビュー画像を前記リビジョンごとに生成し、生成した複数の前記プレビュー画像それぞれの一部を重ねて、複数の前記プレビュー画像を表示する。
【０１１２】
本態様の表示方法によれば、ファイル画像に対応するプレビュー画像をリビジョンごとに生成し、生成した複数のプレビュー画像を、それぞれのプレビュー画像の一部を重ねて表示する。したがって、ユーザーは、リビジョンごとの複数のプレビュー画像を一覧の表示画像として容易に視認することが可能となる。したがって、ユーザーは、ファイル画像のリビジョンごとに生成された複数のプレビュー画像を、重なっていない部分によって一覧画像として視認することが可能となり、リビジョンの経過内容や推移を容易に認識することができる。
【０１１３】
［態様２］上記態様に記載の表示方法において、前記プレビュー画像は、複数の前記画像の内から選択された前記画像に対応して生成することとしてもよい。
【０１１４】
本態様によれば、プレビュー画像が、ファイル画像を構成する複数の画像の内から選択された画像に対応していることから、プレビュー画像を視認することで、ファイル画像の内容を容易に知ることができる。
【０１１５】
［態様３］上記態様に記載の表示方法において、前記ファイル画像は、複数の前記画像が第１の方向に並ぶ画像束と、前記画像束に並ぶ前記プレビュー画像と、を有することとしてもよい。
【０１１６】
本態様によれば、ファイル画像が、プレビュー画像と複数の画像が並ぶ画像束とが並ぶ表示形態として表示されることから、ファイル画像に含まれる内容を、容易に判読することができる。
【０１１７】
［態様４］上記態様に記載の表示方法において、前記リビジョンごとに、前記画像束および前記プレビュー画像を生成し、前記画像束および前記プレビュー画像を、前記第１の方向と交差する第２の方向に沿って並べて表示することとしてもよい。
【０１１８】
本態様によれば、リビジョンごとに生成した画像束およびプレビュー画像が第２の方向に並べて表示されていることにより、リビジョンごとのファイル画像の内容をより詳細に判読することができる。
【０１１９】
［態様５］上記態様に記載の表示方法において、前記プレビュー画像に、それぞれの前記リビジョンを特定する識別マークを表示することとしてもよい。
【０１２０】
本態様によれば、それぞれのリビジョンを特定する識別マークをプレビュー画像に付帯表示することにより、プレビュー画像それぞれのリビジョンの内容を容易に知ることができる。
【０１２１】
［態様６］上記態様に記載の表示方法において、前記リビジョンごとに重ねて表示された前記プレビュー画像に対して、移動指示がされた場合、前記プレビュー画像が移動し、メイン表示されている前記プレビュー画像が切り替わることとしてもよい。
【０１２２】
本態様によれば、プレビュー画像に対する移動指示により、プレビュー画像が移動し、メイン表示されているプレビュー画像が切り替わることから、ユーザーがフォーカスしたいプレビュー画像を適宜選択し、視認することができる。
【０１２３】
［態様７］本態様に係る表示方法は、第１の仮想軸上に配置され、前記第１の仮想軸と交差するそれぞれの第２の仮想軸を中心にして回転し、さらに前記第１の仮想軸を中心にして回転して表示される画像を含むファイル画像を表示部に表示する表示方法であって、前記ファイル画像は、複数の前記画像が第１の方向に並ぶ画像束を有し、前記ファイル画像にリビジョンがある場合、前記画像束を構成する前記画像の内、前記リビジョンを有する前記画像に対応する複数のリビジョン画像を生成し、それぞれの前記リビジョン画像の一部を重ねて表示する。
【０１２４】
本態様の表示方法によれば、画像束を構成する画像の内のリビジョンが有る画像に対応するリビジョン画像をリビジョンごとに生成し、生成した複数のリビジョン画像を、それぞれのリビジョン画像の一部を重ねて表示する。したがって、ユーザーは、リビジョンごとの複数のリビジョン画像を一覧の表示画像として容易に視認することが可能となる。したがって、ユーザーは、ファイル画像のリビジョンごとに生成された複数のリビジョン画像を、重なっていない部分による一覧画像として視認することが可能となり、リビジョンの経過内容や推移を容易に認識することができる。
【０１２５】
［態様８］上記態様に記載の表示方法において、前記リビジョンを有する前記画像に加えて、前記画像束を構成する全ての前記画像に対応する第２のリビジョン画像を前記リビジョンごとに生成し、前記リビジョンごとに生成した前記第２のリビジョン画像を、それぞれの前記第２のリビジョン画像の一部を重ねて表示することとしてもよい。
【０１２６】
本態様によれば、画像束を構成する画像の内のリビジョンが有る画像と、その画像が含まれる画像束を構成する全ての画像に対応する第２のリビジョン画像をリビジョンごとに生成し、生成した第２のリビジョン画像を、それぞれの第２のリビジョン画像の一部を重ねて表示する。したがって、ユーザーは、画像束を構成する全ての画像において、リビジョンごとのリビジョン画像および第２のリビジョン画像を含む一覧の表示画像として容易に視認することが可能となる。
【０１２７】
［態様９］上記態様に記載の表示方法において、前記リビジョンごとに重ねて表示された前記リビジョン画像に対して、移動指示がされた場合、前記リビジョン画像が移動し、メイン表示されている前記リビジョン画像が切り替わることとしてもよい。
【０１２８】
本態様によれば、リビジョン画像に対する移動指示により、リビジョン画像が移動し、メイン表示されているリビジョン画像が切り替わることから、ユーザーがフォーカスしたいリビジョン画像を適宜選択し、視認することができる。
【０１２９】
［態様１０］本態様に係る表示装置は、画像を含むファイル画像を表示する表示部と、第１の仮想軸上に配置され、前記第１の仮想軸と交差する第２の仮想軸を中心にして回転し、更に前記第１の仮想軸を中心に回転して表示される複数の前記画像を生成するサムネイル画像生成部と、前記ファイル画像にリビジョンがある場合、複数の前記画像の内から選択されたプレビュー画像を前記リビジョンごとに生成し、複数の前記プレビュー画像の一部を重ねて表示する表示画像を生成する表示画像生成部と、を備えている。
【０１３０】
本態様の表示装置によれば、表示画像生成部が、サムネイル画像生成部の生成した画像を含むファイル画像に対応するプレビュー画像をリビジョンごとに生成し、生成した複数のプレビュー画像を、それぞれのプレビュー画像の一部を重ねて表示部に表示する。したがって、リビジョンごとの複数のプレビュー画像を、ユーザーが一覧の表示画像として容易に視認することが可能な表示装置を提供することができる。
【０１３１】
［態様１１］本態様に係る表示装置は、画像を含むファイル画像を表示する表示部と、第１の仮想軸上に配置され、前記第１の仮想軸と交差する第２の仮想軸を中心にして回転し、更に前記第１の仮想軸を中心に回転して表示される複数の前記画像を生成するサムネイル画像生成部と、前記ファイル画像にリビジョンがある場合、複数の前記画像の内、前記リビジョンを有する前記画像に対応する複数のリビジョン画像を生成し、複数の前記リビジョン画像の一部を重ねて表示する表示画像を生成する表示画像生成部と、を備えている。
【０１３２】
本態様の表示装置によれば、表示画像生成部が、サムネイル画像生成部の生成した画像を含むファイル画像の内の、リビジョンを有する画像に対応する複数のリビジョン画像を生成し、生成した複数のリビジョン画像を、それぞれのリビジョン画像の一部を重ねて表示部に表示する。したがって、リビジョンごとに重ねて表示される複数の画像を、ユーザーが一覧の表示画像として容易に視認することが可能な表示装置を提供することができる。
【符号の説明】
【０１３３】
２１ａ，２１ｂ，２１ｃ…識別マーク、３０ａ…プレビュー画像としての第１のプレビュー画像、３０ｂ…プレビュー画像としての第２のプレビュー画像、３０ｃ…プレビュー画像としての第３のプレビュー画像、４１…見開き状態で並ぶ領域、４２…間隔を広げて並ぶ領域、４３…等間隔で並ぶ領域、５０…画像束としてのサムネイル束、５１…画像としてのサムネイル画像、１００…表示装置、１１０…制御部、１２０…サムネイル画像生成部、１３０…表示画像生成部、１４０…表示部、１５０…操作部、１６０…記憶部、Ｑ…第１の仮想軸、Ｍ…第２の仮想軸、θ…回転角、Ｎ…仮想水平面。
【図１】
2020071575.tif 000003
【図２】
2020071575.tif 000004
【図３】
2020071575.tif 000005
【図４】
2020071575.tif 000006
【図５Ａ】
2020071575.tif 000007
【図５Ｂ】
2020071575.tif 000008
【図５Ｃ】
2020071575.tif 000009
【図５Ｄ】
2020071575.tif 000010
【図５Ｅ】
2020071575.tif 000011
【図６Ａ】
2020071575.tif 000012
【図６Ｂ】
2020071575.tif 000013
【図７】
2020071575.tif 000014
【図８】
2020071575.tif 000015
【図９】
2020071575.tif 000016
【図１０】
2020071575.tif 000017
【図１１】
2020071575.tif 000018
【図１２】
2020071575.tif 000019
【図１３】
2020071575.tif 000020
【図１４】
2020071575.tif 000021